(57)【要約】【課題】簡単な構成にして締結部材の緩みを検出することの可能な二次電池異常検出装置を提供する。【解決手段】複数の電池セル(11)の電極端子(12)同士を連結する導電性を有する接続板(14)と、接続板と電極端子とを締結する締結部材(16)と、締結部材による接続板と電極端子との締結部に近接して設けられ、締結部周りの温度を検出する温度検出手段(32)と、温度検出手段の温度検出値に基づき電池セルまたは締結部材の異常を判定する異常判定手段(40)とを備える。【選択図】図２
2010282816.tif 000002
【特許請求の範囲】
【請求項１】
複数の電池セルの電極端子同士を連結する導電性を有する接続板と、
該接続板と該電極端子とを締結する締結部材と、
該締結部材による前記接続板と前記電極端子との締結部に近接して設けられ、該締結部周りの温度を検出する温度検出手段と、
該温度検出手段の温度検出値に基づき前記電池セルまたは前記締結部材の異常を判定する異常判定手段と、
を備えたことを特徴とする二次電池異常検出装置。
【請求項２】
前記異常判定手段は、前記電極端子から前記接続板に所定以上の負荷電流が流れているとき、前記温度検出手段の温度検出値に基づいて前記締結部材の緩みを検出し判定することを特徴とする、請求項１に記載の二次電池異常検出装置。
【請求項３】
前記電極端子は前記電池セル毎にそれぞれ複数設けられ、
前記異常判定手段は、前記温度検出手段により前記電池セル毎に検出される前記締結部の複数の温度検出値のうち、いずれか１つが所定の温度を上回ったとき、前記締結部材の緩み有りと判定することを特徴とする、請求項１または２に記載の二次電池異常検出装置。
【請求項４】
前記温度検出手段は、サーミスタであることを特徴とする、請求項１乃至３のいずれかに記載の二次電池異常検出装置。
【請求項５】
前記電極端子には導電性及び伝熱性を有する金属板の一端が接続され、該金属板の他端は前記電池セルの状態を監視する電池監視装置の基板に接続されており、
前記温度検出手段は、前記金属板に近接して前記電池監視装置の基板に配設されていることを特徴とする、請求項１乃至４のいずれかに記載の二次電池異常検出装置。
【発明の詳細な説明】
【技術分野】
【０００１】
本発明は、二次電池異常検出装置に係り、詳しくは電池セルを連結する接続板及び電池セルの端子を締結する締結部材の緩みを検出する技術に関するものである。
【背景技術】
【０００２】
従来、電気自動車に搭載されるリチウムイオン電池は、複数の電池セルから構成される電池モジュールを並列または直列に接続した構造であり、車両へ電力を供給するように構成されている。
このように、複数の電池セルを接続するために、電池セルの端子同士をバスバーなどの導電性のある接続板を用いて締結部材で締結し、配置する構造が一般に用いられている。
【０００３】
しかしながら、接続板及び端子を締結する締結部材は振動などにより緩む場合があり、締結部材が緩むことにより端子と接続板との接触抵抗が増大するためにエネルギーの損失を招くという問題がある。
このようなことから、従来、各締結部材に圧力センサを取り付けて締結部材の緩みを検出する方法が知られている（特許文献１参照）。
【先行技術文献】
【特許文献】
【０００４】
【特許文献１】特開平９−３０６４６８号公報
【発明の概要】
【発明が解決しようとする課題】
【０００５】
ところで、電気自動車には多数の電池モジュールを搭載しており、それに伴い多数の締結部が存在する。複数の電池セルを接続して構成されている電池パックも同様に多数の締結部が存在する。
その点、上記特許文献１に開示された従来技術では、各締結部材に圧力センサを取り付ける構成であるため、圧力センサの数も多くなるために部品費用がかさむという問題がある。また、多量の配線を電池パック内に収容することになり、整備性に劣り好ましいことではない。
【０００６】
本発明は、上述した課題を解決すべくなされたものであり、その目的とするところは、簡単な構成にして締結部材の緩みを検出することの可能な二次電池異常検出装置を提供することにある。
【課題を解決するための手段】
【０００７】
上記の目的を達成するべく、請求項１の二次電池異常検出装置は、複数の電池セルの電極端子同士を連結する導電性を有する接続板と、該接続板と該電極端子とを締結する締結部材と、該締結部材による前記接続板と前記電極端子との締結部に近接して設けられ、該締結部周りの温度を検出する温度検出手段と、該温度検出手段の温度検出値に基づき前記電池セルまたは前記締結部材の異常を判定する異常判定手段と、を備えたことを特徴とする。
【０００８】
請求項２の二次電池異常検出装置では、請求項１において、前記異常判定手段は、前記電極端子から前記接続板に所定以上の負荷電流が流れているとき、前記温度検出手段の温度検出値に基づいて前記締結部材の緩みを検出し判定することを特徴とする。
請求項３の二次電池異常検出装置では、請求項１または２において、前記電極端子は前記電池セル毎にそれぞれ複数設けられ、前記異常判定手段は、前記温度検出手段により前記電池セル毎に検出される前記締結部の複数の温度検出値のうち、いずれか１つが所定の温度を上回ったとき、前記締結部材の緩み有りと判定することを特徴とする。
【０００９】
請求項４の二次電池異常検出装置では、請求項１乃至３のいずれかにおいて、前記温度検出手段は、サーミスタであることを特徴とする。
請求項５の二次電池異常検出装置では、請求項１乃至４のいずれかにおいて、前記電極端子には導電性及び伝熱性を有する金属板の一端が接続され、該金属板の他端は前記電池セルの状態を監視する電池監視装置の基板に接続されており、前記温度検出手段は、前記金属板に近接して前記電池監視装置の基板に配設されていることを特徴とする。
【発明の効果】
【００１０】
請求項１の二次電池異常検出装置によれば、電池セルの電極端子と接続板との締結部材による締結部の近傍に温度検出手段を設け、締結部周りの温度を検出する。
このように、締結部近傍に温度検出手段を配置して締結部周りの温度を検出することにより、締結部材が緩むと接触抵抗の増大に伴い発熱して締結部の温度が上昇するのであるが、電池セルの温度及びかかる締結部材の緩みによる温度上昇の両方を検出し、電池セルまたは締結部材の異常を判定することができる。
【００１１】
また、このように電池セルの温度及び締結部材の緩みによる温度上昇の検出に温度検出手段を共用するので、コストを抑えることができる。
さらに、締結部近傍に温度検出手段を配設することにより温度異常の発生位置を容易に特定することができるので、整備に要する時間を削減し、作業効率を向上させることが可能である。
【００１２】
請求項２、３の二次電池異常検出装置によれば、異常判定手段は、接続板に所定以上の負荷電流が流れている場合に締結部材の緩みを検出し、或いは、温度検出手段により電池セル毎に検出される締結部の複数の温度検出値のうち、いずれか１つが所定の温度を上回ったとき、締結部材の緩み有りと判定するので、電池セルの温度異常と締結部材の緩みによる温度異常とを区別することができる。
【００１３】
請求項４の二次電池異常検出装置によれば、温度検出手段は安価なサーミスタであるので、部品コストを抑えることができる。
請求項５の二次電池異常検出装置によれば、温度検出手段は電池監視装置基板に配設されるので、温度検出手段を電池監視装置基板に一体化することで複雑な配線が不要となり、温度検出手段の省スペースでの設置が可能である。
【図面の簡単な説明】
【００１４】
【図１】本発明に係る二次電池異常検出装置の概略構成を示すシステム図である。
【図２】本発明に係る二次電池異常検出装置の概略構成図である。
【図３】図２の上面図である。
【図４】図２に示す二次電池異常検出装置において行われる電池セル異常検出処理ルーチンを示すフローチャートである。
【発明を実施するための形態】
【００１５】
以下、本発明の一実施形態について図面を参照しながら説明する。
図１は、本発明に係る二次電池異常検出装置の概略構成を示すシステム図である。
図１に示すように、電気自動車に備えられた駆動用バッテリ１は、電池モジュール１０を複数個直列に接続して構成されており、当該電気自動車は外部電源からの充電経路を備え、当該充電経路から電力の供給を受けて充電を行う充電器を介して蓄電するよう構成されている。
【００１６】
１つの電池モジュール１０は、複数個の電池セル１１を備えて構成されている。さらに、電池モジュール１０には、それぞれの充電状体を監視するセルモニタユニット（以下、ＣＭＵと略す）３０が備えられている。電池モジュール１０を直列に接続する配線５０には、駆動用バッテリ１全体の入出力電流を検出する電流センサ６０が設けられている。
ＣＭＵ３０は、バッテリ管理コントロールユニット（異常判定手段、以下、ＢＭＵと略す）４０に接続されている。ＢＭＵ４０は、各ＣＭＵ３０から各電池モジュール１０の充電状態情報と、電流センサ６０から駆動用バッテリ１の入出力電流値を入力し、電子コントロールユニット（ＥＣＵ）７０にバッテリ情報を伝達する。
【００１７】
図２は、本発明に係る二次電池異常検出装置を構成する電池モジュールの概略構成図である。
図２に示すように、電池モジュール１０は、複数個の電池セル１１の電極端子１２同士を、バスバー（接続板）１４を使用して締結部材（例えば、ナット）１６で直列に固定することにより構成されるものである。電極端子１２には導電性及び伝熱性を有する金属板１８の一側が接続されており、金属板１８の他側には金属端子２０が接合されている。金属端子２０は金属板１８を介して電極端子１２に電気的及び熱的に接合されており、電池セル１１の電圧を検出可能である。なお、ここでは電池セル１１の電極端子面側を上側として定義する。
【００１８】
また、電池モジュール１０には、ＣＭＵ３０である電池監視装置基板３１が電池モジュール１０を構成する複数個の電池セル１１にまたがって金属板１８の上側に配設され、上記金属端子２０において締結されている。電池監視装置基板３１にはサーミスタ（温度検出手段）３２が設けられている。
詳しくは図３に示すように、サーミスタ３２は締結部材１６の締結部に近接し金属板１８の近傍になるよう電池監視装置基板３１に金属板１８と配線（図示せず）を介して配設され、後述するように、電極端子１２から金属板１８を介して伝わる上記締結部周りの熱を検出する。
【００１９】
図２に戻り、電池監視装置基板３１はＢＭＵ４０の入力側に接続されている。ＢＭＵ４０では電池監視装置基板３１からの情報に基づき電池パックを構成する全ての電池セル１１の状態（電圧、温度等）を監視する。
以下、このように構成された本発明に係る二次電池異常検出装置の作用について説明する。
【００２０】
バスバー１４に負荷電流が流れると、締結部材１６による締結部周り、例えば電極端子１２にはバスバー１４や締結部材１６との接触抵抗に比例して発熱が起こる。ここで、通常このような電気自動車では、車両の駆動用モータに用いる高電圧の電流と、車両に搭載された補機等に用いられる低電圧の電流があるが、バスバー１４には前者の高電圧の負荷電流が流れる。これにより、電極端子１２とバスバー１４を締結している締結部材１６が緩んでいる場合には接触抵抗は増大するため、発熱量も大きくなる。電極端子１２における発熱は、金属板１８から電池監視装置基板３１のサーミスタ３２に伝わる。このようにしてサーミスタ３２は電極端子１２での発熱を検出する。また、発熱量は負荷電流量にも比例するため、負荷電流が所定（例えば１０アンペア）以上あるときにサーミスタ３２が検出した発熱について、締結部材１６の緩みによる発熱か、電池異常による発熱かを明確に区別することができる。
【００２１】
ここで、検出した温度が所定温度以上であれば締結部材１６の緩みと判定する異常判定処理について説明する。
図４には、ＢＭＵ４０が実行する異常判定処理ルーチンを示すフローチャートが示されており、以下同フローチャートに基づいて説明する。
ステップＳ１では、車両の電源をＯＮする、または電源コネクタを１００Ｖまたは２００Ｖの外部電源へ接続することにより充電器が受電する。
【００２２】
ステップＳ２では、電池監視装置基板３１に配設されているサーミスタ３２により各電池セル温度Ｔcを検出し、収集する。
ステップＳ３では、収集した電池セル温度Ｔcが所定温度Ｔmax以上であるか否かを判定する。当該判定結果が真（Ｙｅｓ）と判定された場合はステップＳ４へ進む。
ステップＳ４では、バスバー１４に所定以上の負荷電流が流れているか否かを判定する。当該判定結果が真（Ｙｅｓ）と判定された場合はステップＳ５へ進む。
【００２３】
ステップＳ５では、同一の電池セル１１の温度を検出するサーミスタ３２のうち、いずれか一方が所定温度Ｔmax以上であるか否かを判定する。
詳しくは、図３に示すように、同一電池セル１１にある電極端子１２ａ、１２ｂの温度を測定するサーミスタ３２ａ、３２ｂのうち、いずれか一方が所定温度Ｔmax以上か否かを判定する。当該判定結果が真（Ｙｅｓ）である場合、ステップＳ６へ進む。
【００２４】
ステップＳ６では、バスバー１４と電極端子１２とを締結する締結部材１６に緩みがあると判定する。
一方、上記ステップＳ４の判定結果が偽（Ｎｏ）、または、ステップＳ５の判定結果が偽（Ｎｏ）である場合、ステップＳ７へ進む。
ステップＳ７では、電池セル１１の発熱と判断して電池セル１１の異常と判定する。
【００２５】
一方、上記ステップＳ３の判定結果が偽（Ｎｏ）である場合、ステップＳ８へ進む。
ステップＳ８では、電池セル１１は正常と判定し、ステップＳ９に進む。
ステップＳ９では、車両の電源がＯＮ、または充電器が受電しているか否かを判定する。当該判定結果が真（Ｙｅｓ）である場合、ステップＳ２に戻り、当該判定結果が偽（Ｎｏ）である場合には本電池セル異常検出処理ルーチンを終了する。
【００２６】
このように、本発明の実施形態によれば、電池監視装置基板３１にあるサーミスタ３２を金属板１８の近傍になるように配設し、バスバー１４に所定以上の負荷電流が流れている場合に、電池監視装置基板３１に配設されたサーミスタ３２が所定値以上の温度を検出し、且つ同一の電池セル１１の電極端子１２ａ、１２ｂの温度を検出するサーミスタ３２ａ、３２ｂのうち、いずれか一方の温度が所定値以上であると、電極端子１２及びバスバー１４を締結している締結部材１６の緩み有りと判断する。
【００２７】
これにより、サーミスタ３２は電池セル１１の温度を検出し、且つ電極端子１２とバスバー１４とを締結する締結部材１６の緩みによる発熱をも検出することができる。このように、電池セルや締結部材１６による締結部周りの温度検出にサーミスタ３２を共用するので、コストを抑えることができる。
また、温度センサに安価なサーミスタを使用することで、部品コストを抑えることができる。
【００２８】
そして、温度の異常箇所を容易に特定することができるので、整備に要する時間を短縮でき、作業効率を向上させることが可能である。
また、電池セル１１の異常による温度異常と締結部材１６の緩みによる温度異常とを区別して判定することができる。
さらに、サーミスタ３２は電池監視装置基板３１に配設されており、締結部材１６の緩みによる発熱は金属板１８及び電池監視装置基板３１のサーミスタ３２に伝わるので複雑な配線は不要であり、サーミスタ３２の省スペースでの設置が可能である。
【００２９】
以上で実施形態の説明を終えるが、本発明は上述した実施形態に限定されるものではない。
例えば、上記実施形態では、サーミスタ３２を電池監視装置基板３１に配設しているが、サーミスタ３２をバスバー１４や締結部材１６に配設してもよい。
また、温度センサとしてサーミスタを使用しているが、温度を検出することができれば特にサーミスタに限定されるものではない。
【００３０】
さらに、１つの電池セル１１の温度検出に２個のサーミスタを用いているが、サーミスタの数は２個に限られるものではない。
【符号の説明】
【００３１】
１  駆動用バッテリ
１０  電池モジュール
１１  電池セル
１２  電極端子
１４  バスバー（接続板）
１６  締結部材
１８  金属板
３１  電池監視装置基板
３２  サーミスタ（温度検出手段）
４０  ＢＭＵ（異常判定手段）
【図１】
2010282816.tif 000003
【図２】
2010282816.tif 000004
【図３】
2010282816.tif 000005
【図４】
2010282816.tif 000006